(57)【要約】      （修正有）【課題】汎用のプリンタを用いてメッセージを印刷することができるグリーティングカード用印刷紙を提供する。【解決手段】用紙サイズ拡大部２が印刷部１に一体の状態でグリーティングカード用印刷紙を汎用のプリンタにセットする。このとき、グリーティングカード用印刷紙がその長さ方向にプリンタのロールで送り込まれるようにセットする。印刷部１と用紙サイズ拡大部２とを合わせてこのグリーティングカード用印刷紙は１０ｃｍの長さを有し、汎用のプリンタで印刷部１の表面にメッセージを印刷した後に、ミシン目３に沿って用紙サイズ拡大部２を印刷部１から切り離すことにより、印刷部１がグリーティングカードとして用いられる。【選択図】図１
0003119884.tif 000002
【実用新案登録請求の範囲】
【請求項１】
メッセージを印刷するための印刷部と、
前記印刷部と一体に形成されて全体の用紙サイズを拡大すると共に前記印刷部との境界部分にミシン目が形成されることにより前記印刷部に対して切り離し可能に設けられる用紙サイズ拡大部と
を備え、前記用紙サイズ拡大部を前記印刷部と一体にしたままで前記印刷部に対する印刷を行い、その後に前記ミシン目に沿って前記用紙サイズ拡大部を前記印刷部から切り離すことにより前記印刷部をグリーティングカードとして用いることを特徴とするグリーティングカード用印刷紙。
【請求項２】
前記用紙サイズ拡大部には、予め前記印刷部に対する印刷方法が記載されている請求項１に記載のグリーティングカード用印刷紙。
【請求項３】
前記印刷部には、予め背景が描かれている請求項１または２に記載のグリーティングカード用印刷紙。
【請求項４】
前記用紙サイズ拡大部は前記印刷部の長さ方向に一体に形成されており、印刷時に前記印刷部はその長さ方向に沿ってプリンタ内に送り込まれる請求項１〜３のいずれか一項に記載のグリーティングカード用印刷紙。
【請求項５】
前記印刷部と前記用紙サイズ拡大部とを合わせて１０ｃｍ以上の長さを有する請求項４に記載のグリーティングカード用印刷紙。
【考案の詳細な説明】
【技術分野】
【０００１】
この考案は、グリーティングカード用印刷紙に係り、特にメッセージを印刷することができるグリーティングカード用印刷紙に関する。
【背景技術】
【０００２】
従来より、メッセージが書き込まれて贈り物等に添えられるグリーティングカードが用いられている。
【考案の開示】
【考案が解決しようとする課題】
【０００３】
ところで、近年、このようなグリーティングカードに、家庭等にある汎用のプリンタを使ってメッセージを印刷したいという要望があるが、一般に、市販されているグリーティングカードのうち、はがき等に比べてサイズが小さいものに対しては、汎用のプリンタでは内部に装備されているローラで送り込むことが困難となり、印刷を行うことができないという問題があった。
この考案はこのような問題点を解消するためになされたもので、汎用のプリンタを用いてメッセージを印刷することができるグリーティングカード用印刷紙を提供することを目的とする。
【課題を解決するための手段】
【０００４】
この考案に係るグリーティングカード用印刷紙は、メッセージを印刷するための印刷部と、印刷部と一体に形成されて全体の用紙サイズを拡大すると共に印刷部との境界部分にミシン目が形成されることにより印刷部に対して切り離し可能に設けられる用紙サイズ拡大部とを備え、用紙サイズ拡大部を印刷部と一体にしたままで印刷部に対する印刷を行い、その後にミシン目に沿って用紙サイズ拡大部を印刷部から切り離すことにより印刷部をグリーティングカードとして用いるものである。
【０００５】
予め用紙サイズ拡大部に印刷部に対する印刷方法が記載されていることが好ましい。
また、予め印刷部に背景が描かれているように構成することもできる。
【０００６】
用紙サイズ拡大部を印刷部の長さ方向に一体に形成し、印刷時に印刷部がその長さ方向に沿ってプリンタ内に送り込まれるように構成することができる。このとき、印刷部と用紙サイズ拡大部とを合わせて１０ｃｍ以上の長さを有することが好ましい。
【考案の効果】
【０００７】
この考案によれば、汎用のプリンタを用いてメッセージを印刷することが可能なグリーティングカード用印刷紙を実現することができる。
【考案を実施するための最良の形態】
【０００８】
以下、この考案の実施の形態を添付図面に基づいて説明する。
図１に、この考案の実施の形態に係るグリーティングカード用印刷紙を示す。このグリーティングカード用印刷紙は、矩形の印刷部１とこの印刷部１に一体に形成された矩形の用紙サイズ拡大部２を有している。これら印刷部１と用紙サイズ拡大部２との境界部分には一点鎖線で示されるようなミシン目３が形成されており、このミシン目３により用紙サイズ拡大部２を印刷部１から切り離すことができるように構成されている。
【０００９】
印刷部１は、メッセージを印刷するための部分であり、印刷部１の表面に予め所定の意匠が背景として描かれている。また、用紙サイズ拡大部２は、印刷部１と一体に形成されることにより、このグリーティングカード用印刷紙全体の用紙サイズを拡大するための部分である。ここで、印刷部１は６ｃｍの長さ及び１１ｃｍの幅を有すると共に、用紙サイズ拡大部２は４ｃｍの長さ及び１１ｃｍの幅を有し、印刷部１及び用紙サイズ拡大部２は互いに等しい幅を有している。印刷部１の長さ方向に延在するように用紙サイズ拡大部２が配置されることにより、幅は１１ｃｍのまま全長１０ｃｍを有するグリーティングカード用印刷紙が形成されている。
【００１０】
また、用紙サイズ拡大部２の表面には、このグリーティングカード用印刷紙全体を縮小した図形４が描かれており、この図形４の上に、印刷時にプリンタに対してこのグリーティングカード用印刷紙をセットする方向を示す矢印と文字が記載されている。この矢印は、グリーティングカード用印刷紙の長さ方向に延長して印刷部１側の端部を指し示すように記載されている。
また、用紙サイズ拡大部２表面の二点鎖線で囲まれた領域５には、例えば、「メッセージはこの向きに印刷されます。」及び「右図の‘上’から印刷が始まるようにプリンタにセットしてください。」等の印刷方法に関する情報や、「印刷が終わりましたらミシン目で切り取ってください。」等の印刷後の取扱い方法に関する情報を記載することができる。
【００１１】
次に、この実施の形態に係るグリーティングカード用印刷紙の作用について説明する。まず、用紙サイズ拡大部２を印刷部１に一体にしたままの状態で、このグリーティングカード用印刷紙を家庭等にある汎用のプリンタにセットする。このとき、グリーティングカード用印刷紙は、用紙サイズ拡大部２の図形４上に記載された矢印と同じ方向にプリンタ内へ送り込まれるようにセットする。したがって、グリーティングカード用印刷紙は、その長さ方向の印刷部１側の端部からプリンタ内に挿入され、そのまま長さ方向に沿ってプリンタ内のロールで送り込まれて印刷されることとなる。
上述のように、用紙サイズ拡大部２が印刷部１に一体の状態では、このグリーティングカード用印刷紙は１０ｃｍの長さを有している。通常のはがきは、短辺の長さが１０ｃｍ程度であるため、はがきの印刷が可能な汎用のプリンタにおいて、このグリーティングカード用印刷紙をローラにより送り込んで印刷を行うことができる。
【００１２】
したがって、図２に示されるように、汎用のプリンタにより印刷部１の表面に所望のメッセージ６を印刷し、その後に、ミシン目３に沿って用紙サイズ拡大部２を印刷部１から切り離す。これにより、用紙サイズ拡大部２が切り離された状態の印刷部１をグリーティングカードとして使用することができ、このカードを贈り物に添えるなどして用いることができる。
【００１３】
また、印刷部１と用紙サイズ拡大部２との境界部分にはミシン目３が形成されているため、汎用のプリンタによる印刷部１への印刷を行った後に、用紙サイズ拡大部２はミシン目３に沿って手で容易に切り離すことができる。
【００１４】
なお、印刷部１の長さは６ｃｍ及び用紙サイズ拡大部２の長さは４ｃｍにそれぞれ限定されず、これら印刷部１と用紙サイズ拡大部２とが一体の状態での全体の長さ、すなわち、グリーティングカード用印刷紙の送り込み方向の長さが１０ｃｍ以上となればよい。
【００１５】
上述の実施の形態では、プリンタへの送り込み方向に対して印刷部１の後ろ側に用紙サイズ拡大部２が配置されていたが、プリンタへの送り込み方向に対して印刷部１の前側に用紙サイズ拡大部２を配置してもよく、その場合、グリーティングカード用印刷紙を用紙サイズ拡大部２からプリンタ内に挿入して印刷部１に対する印刷を行うこともできる。
【００１６】
メッセージ６は、印刷部１の表面だけでなく裏面にも印刷することができる。
また、メッセージ６は印刷部１に対して横書きにも縦書きにも印刷することができる。
【００１７】
印刷部１に予め背景として描かれる意匠は、各種の形状や模様、色彩等を含むことができる。
この背景は、印刷部１の表面だけでなく裏面にも描かれていてもよい。
また、背景が何も描かれていない印刷部１を用いることもできる。
【図面の簡単な説明】
【００１８】
【図１】この考案の実施の形態に係るグリーティングカード用印刷紙を示す図である。
【図２】実施の形態における印刷部から用紙サイズ拡大部を切り離した状態を示す図である。
【符号の説明】
【００１９】
１  印刷部、２  用紙サイズ拡大部、３  ミシン目、４  図形、５  領域、６  メッセージ。
【図１】
0003119884.tif 000003
【図２】
0003119884.tif 000004